(57)【特許請求の範囲】
【請求項１】
計器を収納する収納部と、前記収納部から延設される遮光部と、前記収納部の内面の一個所以上若しくは全周に形成され、前記計器と当接する第一の当接部及び前記計器を固定するホルダと当接する第二の当接部を有する取付部と、を備えてなることを特徴とする計器用バイザー。
【請求項２】
前記収納部の内面の前記取付部近傍に位置する一個所以上若しくは全周に、前記計器の外周面と当接する突出部を形成してなることを特徴とする請求項１に記載の計器用バイザー。
【請求項３】
前記収納部は、略円筒状であることを特徴とする請求項１または請求項２に記載の計器用バイザー。
【発明の詳細な説明】
【０００１】
【発明の属する技術分野】
本発明は、計器用バイザーに関するものであり、特に、計器からの照明光のフロントガラスへの写り込みや外光の入射を防止する計器用バイザーに関するものである。
【０００２】
【従来の技術】
従来、車両用計器として、単一のケース体に計器本体を収納し、前記計器本体に装着される指針を、前記ケース体の開口部に配設される表示板上において回動させることで車両運転者に車両の１つの状態を表示する、ワンパッケージ型の補助用計器が知られており、かかる補助用計器としては、回転計，吸気圧計，油温計及び排気温度計等がある。
【０００３】
前記補助用計器は、例えば車両のダッシュボード上の運転席前方に取り付けられるものであるが、特に夜間時において照明光によって車両のフロントガラスに前記補助用計器の虚像が写り込んでしまうという問題があった。
【０００４】
このような問題を解決するものとして、前記補助用計器からの照明光のフロントガラスへの写り込みや外光の入射を防止する防止する略円筒状のバイザーが提案されている。かかるバイザーは前記補助用計器が配設される略円筒状の収納部と、この収納部から延設される遮光部と、を備える。
【０００５】
【発明が解決しようとする課題】
前記バイザーを前記補助用計器に配設固定する方法としては、前記バイザーの前記円筒部の内面における前記補助用計器との当接個所に両面テープや接着剤等の固定部材を設け、この固定部材を介して前記補助用計器と前記バイザーとを固定する方法がある。
【０００６】
しかしながら、かかる方法は、前記バイザーの内面に特別の前記固定部材を配設する必要があるために、前記バイザーを前記補助用計器に配設する取付作業工数が増加し、また、コストが高くなるという問題点があった。
【０００７】
本発明は、上記問題点を鑑みてなされたものであり、容易かつ安価に計器に配設固定することが可能な計器用バイザーを提供することを目的とする。
【００１０】
【課題を解決するための手段】
本発明は、前記課題を解決するために、計器を収納する収納部と、前記収納部から延設される遮光部と、前記収納部の内面の一個所以上若しくは全周に形成され、前記計器と当接する第一の当接部及び前記計器を固定するホルダと当接する第二の当接部を有するを有する取付部と、を備えてなることを特徴とする。
【００１１】
また、本発明は、前記収納部の内面の前記取付部近傍に位置する一個所以上若しくは全周に、前記計器の外周面と当接する突出部を形成してなることを特徴とする。
【００１２】
また、本発明は、前記収納部は、略円筒状であることを特徴とする。
【００１３】
【発明の実施の形態】
以下、添付の図面に基づいて、本発明をワンパッケージ型の補助用計器に配設される計器用バイザーに適用した実施の形態について説明する。尚、図１は本発明の実施の形態であるバイザー１を示す断面図である。また、図２は後で詳述するバイザー１の突出部及び取付部を示す局部断面図である。また、図３は、バイザー１を示す正面図である。
【００１４】
図１に示すように、バイザー１は、アクリルニトリルブタヂエンスチレン（ＡＢＳ）等の樹脂材料からなり、補助用計器（計器）Ａを収納する略円筒状の収納部２と、収納部２から延設され補助用計器Ａからの照明光のフロントガラスへの写り込みや外光の入射を防止する遮光部３と、を備えるものである。尚、補助用計器Ａは、単一のケース体ａ１に計器本体，前記計器本体に装着される指針及び表示板を収納し、透光性を有する前面板ａ２と前面板ａ２の周縁を覆う縁部ａ３とによってケース体ａ１の開口部を封止してなる構成であり、ホルダＢの配設部ｂ１に配設される。
【００１５】
また、バイザー１は、図１から図３に示すように、収納部２の内面２ａの複数個所に形成され、補助用計器Ａの縁部ａ３の外周面と当接する突出部４を備える。突出部４は、図３に示すように、内面２ａの同一周上に略等間隔で形成されており、内面２ａを基準として内面２ａよりも内側方向に突出した状態にて形成されている。
【００１６】
また、バイザー１は、図１から図３に示すように、収納部２の内面２ａの全周に形成される取付部５を備える。取付部５は、補助用計器Ａの縁部ａ３に形成される段差部ａ４と当接する第一の当接部５ａを備え、第一の当接部５ａは段差部ａ４の傾斜に沿うように後方に傾斜した状態にて形成されている。また、取付部５は、ホルダＢの配設部ｂ１の開口端部ｂ２と当接する第二の当接部５ｂを備え、第二の当接部５ｂは開口端部ｂ２の形状に対応する形状にて形成されている。また、取付部５は、収納部２の内面２ａの突出部４よりも後方側（遮光部３が延設されない側）に位置し、内面２ａを基準として突出部４よりも内側方向に突出した状態にて形成されている。
【００１７】
以上の構成によりバイザー１が構成されている。かかる構成によれば、バイザー１を補助用計器Ａに配設する際、バイザー１を補助用計器Ａの後方より収納部２で補助用計器Ａの縁部ａ３を覆うように配設する。このとき、補助用計器Ａは収納部２の各突出部４が形成される位置においては縁部ａ３の前記外周面が各突出部４に当接するため、バイザー１は圧入によって配設固定される。また、補助用計器Ａは取付部５の第一の当接部５ａが段差面Ａ４に当接して配設位置が決められる。さらに、ホルダＢを補助用計器Ａの後方から補助用計器Ａが配設部ｂ１内に収納されるように配設する。このとき、ホルダＢをバイザーＡの取付部５における第二の当接部５ｂに開口端部ｂ２が当接するように配設することにより、バイザーＡは取付部５が補助用計器ＡとホルダＢとによって挟持されることとなり、より安定して配設固定される。
【００１８】
かかるバイザー１は、補助用計器Ａが収納される収納部２の内面２ａの一個所以上に補助用計器Ａの縁部ａ３と当接する突出部４を形成し、圧入によって補助用計器Ａに配設固定することにより、従来のように特別の固定部材を必要とせず、また取付に要する作業工数を増やすことがないことから、容易かつ安価に補助用計器Ａに配設固定することが可能となる。
【００１９】
また、バイザー１は、収納部２の内面２ａの一個所以上に形成される各突出部４をそれぞれ略等間隔で形成することにより、補助用計器Ａの縁部ａ３の前記外周面を均一に圧することが可能であり、より強固にバイザー１を配設固定することができる。
【００２０】
また、バイザー１は、収納部２の内面２ａの全周に補助用計器Ａの縁部ａ３に形成される段差部ａ４と当接する第一の当接部５ａとホルダＢの配設部ｂ１の開口端部ｂ２と当接する第二の当接部５ｂとを有する取付部５を形成し、補助用計器ＡとホルダＢとにてバイザー１の取付部５を挟持することによって、より安定してバイザー１を配設固定することが可能となる。
【００２１】
尚、本発明の実施の形態においては、バイザー１は、ワンパッケージ型の補助用計器Ａに配設固定される構成であったが、本発明においては、前述した形状の計器以外であっても適用可能である。
【００２２】
また、本発明の実施の形態においては、バイザー１は、略円筒状の収納部２を備える構成であったが、請求項１から請求項３にかかる本発明においては、バイザーは、計器の形状等に応じた形状、例えば略直方体形状の収納部と、この収納部から延設される遮光部と、を備える構成であってもよく、その形状は本発明の実施の形態に限定されるものではない。
【００２３】
また、本発明の実施の形態においては、突出部４は、収納部２の内面２ａの複数個所に形成される構成であったが、本発明においては、例えば収納部の内面の所定個所の全周に前記内面を基準として前記内面よりも内側方向に突出した突出部を形成する構成であってもよい。
【００２４】
また、本発明の実施の形態においては、取付部５は、収納部２の内面２ａの全周に形成される構成であったが、本発明においては、例えば収納部の内面の突出部よりも後方側に位置する略同一周上の一個所以上に、前記内面を基準として前記突出部よりも内側方向に突出した取付部を形成する構成であってもよい。
【００２５】
また、本発明の実施の形態においては、バイザー１は、計器Ａに配設固定するための手段として、突出部４と取付部５との両方を備える構成であったが、本発明においては、計器に配設固定するための手段として突出部のみを備える構成、あるいは取付部のみを備える構成であってもよい。
【００２６】
【発明の効果】
本発明は、計器用バイザーに関するものであり、特に、計器からの照明光のフロントガラスへの写り込みや外光の入射を防止する計器用バイザーに関するものであり、容易かつ安価に計器に配設固定することが可能となる。
【図面の簡単な説明】
【図１】  本発明の実施の形態である計器用バイザーを示す断面図。
【図２】  同上バイザーを示す局部断面図。
【図３】  同上バイザーを示す正面図。
【符号の説明】
１    バイザー
２    収納部
３    遮光部
４    突出部
５    取付部
５ａ  第一の当接部
５ｂ  第二の当接部
Ａ    補助用計器（計器）
Ｂ    ホルダ
【図１】
0003637966.tif 000002
【図２】
0003637966.tif 000003
【図３】
0003637966.tif 000004